(57)【特許請求の範囲】
【請求項１】
金庫が収納される金庫室の開口を閉鎖する金庫扉の施錠構造であって、
前記金庫扉の表面側に露呈して設けられ鍵操作によって施錠、解錠される錠前と、
この錠前の前記金庫扉の裏面側に突出する錠前軸と一体的に回動しそれぞれの先端部に係合部を有する複数の腕部が放射状に設けられた回動子と、
この回動子の腕部の係合部が係合する被係合部と先端に前記金庫室の開口側の被係止部に係止される係止部とが設けられた複数の係止部材とを備え、
これら複数の係止部材は、前記係止部が金庫扉の外周から進退自在となるように、それぞれが前記錠前軸と異なる軸を中心に回動自在に支持され、
前記錠前を施錠することによって、前記回動子の腕部の延設方向と、前記係止部材の係止部の突出方向とが略一直線上に位置付けられ、前記被係合部を略三角形に形成し、前記回動子の腕部の係合部を遊嵌状態で係入させていることを特徴とする金庫扉の施錠構造。
【請求項２】
請求項１記載の金庫扉の施錠構造において、
前記金庫扉の裏面側に金庫を固定したことを特徴とする金庫扉の施錠構造。
【発明の詳細な説明】
【０００１】
【発明の属する技術分野】
本発明は、公衆電話機、自動販売機等の金庫室を閉鎖する金庫扉の施錠構造に関する。
【０００２】
【従来の技術】
この種の金庫扉の施錠構造としては、特公平５−８３７１０号公報に開示されたものがある。ここに開示されたものには、金庫室の開口を閉鎖する金庫扉と、この金庫扉の表面側に露呈するように設けられ鍵操作によって施錠、解錠される錠前と、この錠前の金庫扉裏面側に突出する錠前軸上に軸支された係止部材とが備えられている。係止部材には錠前を中心として放射状に延設された複数の係止部が設けられて、係止部材は十文字状に配設され、錠前を回動操作することによってこの係止部材も一体的に回動し、係止部の先端が金庫扉の外周から突出して、金庫扉が施錠されるものである。
【０００３】
【発明が解決しようとする課題】
上述した従来の金庫扉の施錠構造においては、複数の係止部が係止部材に一体に形成された構造となっていることにより、係止部材の回動中心から係止部までの距離が大きくなり、したがって係止部の回動半径が大きくなる。このため、施錠の際に、係止部の金庫扉の外周からの突出量を充分にとることができないばかりか、係止部の横幅も充分にとることができないから、金庫扉の施錠強度が弱いという問題があった。また、錠前と係止部材とが一体的に回動することにより、錠前の回動角度がそのまま係止部の回動角度になるため、係止部の突出位置や突出量の調整が容易でないという問題もあった。
【０００４】
本発明は上記した従来の問題に鑑みなされたものであり、第１の目的は金庫扉の施錠強度を向上させることにある。第２の目的は調整を容易にすることにある。
【０００５】
【課題を解決するための手段】
この目的を達成するために、請求項１記載の発明は、金庫が収納される金庫室の開口を閉鎖する金庫扉の施錠構造であって、前記金庫扉の表面側に露呈して設けられ鍵操作によって施錠、解錠される錠前と、この錠前の前記金庫扉の裏面側に突出する錠前軸と一体的に回動しそれぞれの先端部に係合部を有する複数の腕部が放射状に設けられた回動子と、この回動子の腕部の係合部が係合する被係合部と先端に前記金庫室の開口側の被係止部に係止される係止部とが設けられた複数の係止部材とを備え、これら複数の係止部材は、前記係止部が金庫扉の外周から進退自在となるように、それぞれが前記錠前軸と異なる軸を中心に回動自在に支持され、前記錠前を施錠することによって、前記回動子の腕部の延設方向と、前記係止部材の係止部の突出方向とが略一直線上に位置付けられ、前記被係合部を略三角形に形成し、前記回動子の腕部の係合部を遊嵌状態で係入させている。
したがって、係止部材の回動中心から係止部までの距離が、錠前と係止部までの距離よりも小さくなり、係止部の回動半径が小さくなる。また、仮に、係止部に外力が加わっても回動子の腕部に回転モーメントが発生しずらい。また、仮に、係止部材に外力が加わっても回動子に直接伝達しずらい。
【０００６】
また、請求項２記載の発明は、請求項１記載の発明において、前記金庫扉の裏面側に金庫を固定したものである。
したがって、金庫扉を金庫室に取り外す際には、金庫も一緒に取り外される。
【０００７】
【発明の実施の形態】
以下、本発明の実施の形態を図に基づいて説明する。図１は本発明に係る金庫扉の施錠構造を採用した公衆電話機の正面図、図２は図１におけるＩＩ−ＩＩ  線断面図である。図３は図１におけるＩＩＩ−ＩＩＩ  線断面図、図４は図１におけるＩＶ−ＩＶ  線断面図、図５は同じく要部の背面図で、（ａ）は解錠状態を示し、（ｂ）は施錠状態を示す。
【０００８】
図１において、全体を符号１で示す公衆電話機は、略密閉状態の箱状の筺体２が備えられており、この筺体２の前面板の上部には、硬貨投入口３が設けられ、この硬貨投入口３から投入された硬貨は、筺体２内に設けられた図示を省略した硬貨選別軌道に導かれる。この硬貨選別軌道において、疑似硬貨と判別された硬貨は、筺体２の前面板の下部に設けられた硬貨返却口４から返却され、正規硬貨と判別された硬貨は、一旦、硬貨蓄積軌道に蓄積され、局からの課金信号によって図２に示す金庫５に収納されるように構成されている。
【０００９】
筺体２の前面板の下部には、金庫５に対応して矩形状の開口６が設けられ、この開口６は後述する金庫扉７によって閉鎖され、図２に示すように、開口６に対応した筺体２内には金庫５を収納する金庫室８が形成されている。図１において、９はダイヤルボタン、１０は送受話器であって、筺体２の側面板に設けられたハンガー１１に掛けられている。図４において、筺体２の裏面には縁金１３が固着され、この縁金１３の開口６の周端に位置する部位が、断面クランク状に形成されるようにして開口６内にわずかに突出し受部１３ａが形成され、この受部１３ａの裏面側の四隅には、４個の係合子１４が固定されている。
【００１０】
次に、図２ないし図５に基づいて、本発明の特徴である金庫扉ユニット１５について説明する。
金庫扉ユニット１５は、金庫扉７と、この金庫扉７の略中央に取り付けられた錠前１６と、この錠前１６の錠前軸１６ａと一体的に回動する回動子１７と、この回動子１７の回動に追従するようにして回動する４枚の係止部材１８と、カバー１９とから概ね構成されている。
【００１１】
図３において、金庫扉７の裏面の上部および下部には、一対のスタッド２２，２２および一対のスタッド２３，２３がそれぞれ植設されており、これらスタッド２２の先端部にはおねじ部が形成され、スタッド２３の先端部にはめねじ部が形成されている。金庫扉７の裏面には、この金庫扉７の外形よりもやや小さい外形の縁金２１が固着されている。錠前１６は、鍵穴が設けられた側を金庫扉７の表面から露呈するように取り付けられ、金庫扉７の裏面側に突出した錠前軸１６ａには、回動子１７の中心部が固定され、回動子１７は錠前軸１６ａと一体的に回動するように構成されている。
【００１２】
図５に示すように、回動子１７は放射状に延設された４個の腕部２５が十文字状に一体に形成され、これら腕部２５の先端部の下面のそれぞれには、係合ピン２６が植設されている。４枚の係止部材１８は略平板状に形成され、回動子１７の周りにおいて金庫扉７の裏面に植設された軸２７を回動中心として、それぞれ回動自在となるように支持されている。これら係止部材１８の一端側には、平面視において略三角形の被係合孔１８ａがそれぞれ穿設され、他端には、係止部１８ｂがそれぞれ形成されている。
【００１３】
これら４枚の係止部材１８のそれぞれの被係合孔１８ａには、回動子１７の腕部２５のそれぞれの係合ピン２６が遊嵌状態で係入されている。したがって、回動子１７が図中時計方向または反時計方向に回動すると、４枚の係止部材１８が軸２７を回動中心として反時計方向または時計方向に回動する。同図（ａ）に示すように、反時計方向に回動することにより、すべての係止部材１８の係止部１８ｂが金庫扉７の外周の内側に位置付けられ、同図（ｂ）に示すように、時計方向に回動することにより、係止部１８ｂが金庫扉７の外周から突出するように構成されている。
【００１４】
ここで、金庫扉７の外周から係止部１８ｂが突出した同図（ｂ）の状態においては、係止部１８ｂの中央点Ａと係合ピン２６の中心点Ｂとを結ぶ直線Ａ−Ｂと、中心点Ｂと錠前軸１６ａの中心点Ｃとを結ぶ直線Ｂ−Ｃとが略一直線上に位置付けられている。すなわち、係止部材１８の係止部１８ｂの突出方向と回動子１７の腕部２５の延設方向とが略一直線上に位置付けられている。また、直線Ａ−Ｂが金庫扉７の辺７ａと直交するように構成されている。
【００１５】
図３に示すように、カバー１９は浅皿状に形成され、スタッド２３のめねじ部にねじ２９によって取り付けられることにより、図４に示すように、縁金２１とともに、上述した金庫扉７の裏面側に組み付けられた錠前１６、回動子１７および係止部材１８を覆う。このカバー１９の囲い壁を形成する４個の側板の中央の下端には、４個の切欠き１８ａが設けられており、この切欠き１８ａから上述した係止部材１８の係止部１８ｂが突出できるように構成されている。
【００１６】
図３において、金庫５は上方が開口した箱状を呈し、前面部には矩形状の孔５ａが設けられており、カバー１９に突出形成されたフック部１９ａにこの孔５ａを係入させ、スタッド２２のおねじ部にナット３０を螺合させることにより、金庫５はカバー１９に固定される。
【００１７】
次に、このような構成の金庫扉の施錠構造における施錠の動作を説明する。
まず、錠前１６の鍵穴に鍵（図示せず）を挿入して解錠方向、すなわち図５（ａ）に示すように、錠前軸１６ａを図中時計方向に回動させると、４枚の係止部材１８は、係合ピン２６と被係合孔１８ａとの係合を介して、軸２７を回動中心として反時計方向に回動する。したがって、４枚の係止部材１８の係止部１８ｂが、金庫扉７の外周から退出して外周の内側に位置付けられる。
【００１８】
図２に示すように、金庫５が一体的に固定された金庫扉ユニット１５を、筺体２の開口６から金庫室８内に収納して、金庫扉７の外周端縁を縁金１３の受部１３ａに係合させる。このとき、係止部材１８は図５（ａ）に示す状態にあり、この状態から錠前１６の鍵穴に鍵（図示せず）を挿入して施錠方向、すなわち錠前軸１６を図中反時計方向に回動させると、４枚の係止部材１８は、係合ピン２６と被係合孔１８ａとの係合を介して、軸２７を回動中心として時計方向に回動する。同図（ｂ）に示すように、４枚の係止部材１８の係止部１８ｂが、金庫扉７の外周から突出するので、図４に示すように、係止部１８ｂが係合子１４に係合する。したがって、金庫扉７の外周端縁と係止部１８ｂとによって縁金１３の外周部が挟持されるので、金庫扉７は施錠される。
【００１９】
このように本発明の金庫扉の施錠構造では、図５（ｂ）に示すように、係止部材１８を回動子１７と分離し、錠前軸１６ａとは別の軸２７を回動中心としたことにより、係止部材１８の係止部１８ｂの回動半径が小さくなる。このため、係止部１８ｂの金庫扉７の外周から突出する突出量Ｔを大きくすることができるとともに、係止部材１８の横幅Ｌも大きく形成することができ、このため、金庫扉７の施錠強度が向上する。
【００２０】
また、直線Ａ−Ｂと直線Ｂ−Ｃとが略一直線上に位置付けられていることにより、係止部１８ｂに外力Ｇが加わったとしても、回動子１７の腕部２５に回転モーメントが発生するようなことがない。このため、金庫扉７の外周から突出している係止部１８ｂが、金庫扉７の外周の内側に戻ることが規制されるので、金庫扉７の施錠強度が向上する。さらに、係合ピン２６と被係合孔１８ａとの間に遊びが設けられていることにより、外力Ｇがこの遊びにより一時的に吸収されるので、外力Ｇが係止部材１８を介して回動子１７Ｂの腕部２５に直接伝達しずらく、金庫扉７の施錠強度が向上する。
【００２１】
また、係止部材１８の係止部１８ｂの突出量Ｔや突出位置は、軸２７の位置を変えたり、係止部材１８の外形を変えたり、あるいは被係合孔１８ａの外形を変えることにより、容易に変えることができるので、調整が容易になる。また、４枚の係止部材１８が軸２７に個々に回動自在に支持されていることにより、１個が破損しても残りの係止部材１８に影響を及ぼすことなく施錠状態が保持されるので、施錠強度が向上する。
【００２２】
金庫扉７の施錠を解錠するには、同図（ｂ）の状態から錠前１６の鍵穴に鍵を挿入して解錠方向、すなわち錠前軸１６ａを図中時計方向に回動させると、４枚の係止部材１８は、係合ピン２６と被係合孔１８ａとの係合を介して、軸２７を回動中心として反時計方向に回動する。したがって、４枚の係止部材１８の係止部１８ｂが、金庫扉７の外周から退出して外周内に位置付けられ、図４において、係止部１８ｂと係合子１４との係合が解除されるので、金庫扉７を開口６から取り外す。金庫扉７を取り外す際に、金庫室８内から金庫５も一緒に取り外されるので、金庫室８内に手を差し入れて重量のある金庫５を引き出す作業が不要になり、このため作業性が向上する。
【００２３】
なお、本実施の形態では、係止部材１８の係止部１８ｂを金庫室８の開口６の端縁の裏面側、すなわち縁金１３の受部１３ａに係合させて施錠するようにしたが、特公平５−８３７１０号公報に開示されているように、金庫室の囲い壁に穿設した長孔に係止部１８ｂを係入させて施錠するようにしてもよく、種々の設計変更が可能である。
【００２４】
【発明の効果】
以上説明したように、請求項１記載の発明によれば、係止部の回動半径が小さくなるので、係止部の金庫扉の外周からの突出量を大きくすることができるとともに、係止部の横幅を大きく形成できるので、金庫扉の施錠強度が向上する。また、係止部の突出位置や突出量の調整が容易になる。また、係止部材が個々に回動自在に支持されていることにより、１個が破損しても残りの係止部材に影響を及ぼすことなく施錠状態が保持される。また、施錠時おいて係止部に外部からの外力が加わっても錠前の回動を規制することができるので、より金庫扉の施錠強度が向上する。また、係止部に外力が加わっても回動子に直接伝達しずらいから、金庫扉の施錠強度が向上する。
【００２５】
また、請求項２記載の発明によれば、金庫扉を金庫室から取り外すと金庫も一緒に取り外されるので、作業性が向上する。
【図面の簡単な説明】
【図１】本発明に係る金庫扉の施錠構造を採用した公衆電話機の正面図
【図２】図１におけるＩＩ−ＩＩ  線断面図である。
【図３】図１におけるＩＩＩ−ＩＩＩ  線断面図である。
【図４】図１におけるＩＶ−ＩＶ  線断面図である。
【図５】本発明に係る金庫扉の施錠構造における要部の背面図で、（ａ）は解錠状態を示し、（ｂ）は施錠状態を示す。
【符号の説明】
１…公衆電話機、２…筺体、５…金庫、６…開口、７…金庫扉、８…金庫室、１５…金庫扉ユニット、１６…錠前、１６ａ…錠前軸、１７…回動子、１８…係止部材、１８ａ…被係合孔１８ｂ…係止部、１９…カバー、２５…腕部、２６…係合ピン。
【図１】
0003598312.tif 000002
【図２】
0003598312.tif 000003
【図３】
0003598312.tif 000004
【図４】
0003598312.tif 000005
【図５】
0003598312.tif 000006